(57)【要約】【課題】リップ付きシールを逆姿勢で使用してリリーフ機能をもたせるシール部におけるシールリップ先端の径方向内側への変位を防止してそのシール部のリリーフ圧を安定させることを課題としている。【解決手段】環状固定部５の径方向内端に、軸方向に延び出すリップ６を設け、そのリップを弾性体７で加圧して軸穴２に通された軸３の外周面に押し付けて軸穴２の内周面と軸３の外周面との間をシールする軸シール構造において、前記リップ付きシール４を、環状固定部５が液室８側に、リップ先端が大気開放部９側にそれぞれ位置する姿勢に配置し、さらに、リップ６の先端を支えてリップ先端の径方向内側への変位を規制する姿勢保持部材１１を備えさせた。【選択図】図１
2012172715.tif 000002
【特許請求の範囲】
【請求項１】
軸穴（２）の内周面に固定される環状固定部（５）の径方向内端に、基端（６ａ）が前記環状固定部（５）に連なり、その基端から自由端となる先端が軸方向に延び出すリップ（６）を設け、そのリップ（６）の外周に、当該リップ（６）を径方向内側に加圧して前記軸穴（２）に通された軸（３）の外周面に押し付ける弾性体（７）を装着したリップ付きシール（４）を用いて前記軸穴（２）の内周面と前記軸（３）の前記リップ（６）が摺接する外周面との間をシールする軸シール構造であって、
前記リップ付きシール（４）の前記環状固定部（５）を液室（８）側に、前記リップ（６）の先端を大気開放部（９）側にそれぞれ配置し、さらに、前記リップ（６）の先端を支えてリップ先端の径方向内側への変位を規制する姿勢保持部材（１１）を備えさせ、さらに、前記リップ（６）の先端面（６ｂ）に、リップ先端が径方向内側に向けて変位するときに軸方向変位を伴う面（Ｅ）を含ませ、その面（Ｅ）含む前記リップの先端面（６ｂ）を前記姿勢保持部材（１１）に形成した第１当接部（１１ａ）に当接させてリップ先端の径方向内側への変位を規制するようにしたことを特徴とする軸シール構造。
【請求項２】
前記リップ（６）の先端を、前記姿勢保持部材（１１）の組み付けが完了した位置でその姿勢保持部材（１１）から離間させた請求項１に記載の軸シール構造。
【請求項３】
前記リップ付きシール（４）に補強環（５ｂ）を含ませ、その補強環（５ｂ）を前記リップ（６）の先端よりもリップ延出方向に突出させ、前記リップ（６）の先端が前記姿勢保持部材（１１）から離間した位置で前記補強環（５ｂ）に前記姿勢保持部材（１１）を当接させた請求項２に記載の軸シール構造。
【請求項４】
前記姿勢保持部材（１１）に、前記リップ（６）の先端側外周面が当接する第２当接部（１１ｂ）を具備させ、その第２当接部（１１ｂ）でリップ先端の径方向外側への変位を規制するようにした請求項１〜３のいずれかに記載の軸シール構造。
【請求項５】
軸穴（２２）を有するハウジング（２１）と、そのハウジング（２１）に内蔵された液体汲み上げ用のポンプ（２４）と、前記軸穴（２２）に組み込まれて前記ポンプ（２４）を駆動する回転軸（２３）と、前記軸穴（２２）と前記回転軸（２３）との間の隙間を閉じて前記ハウジング（２１）内のポンプ口に通じた吸入室（２６）を大気室（２８）から区画する第１シール部（３０）を有するポンプ装置であって、
前記第１シール部（３０）が、請求項１〜４のいずれか一項に記載の軸シール構造を有し、前記リップ付きシール（４）が、当該シールのリップ（６）の先端が前記大気室（２８）側に、環状固定部（５）が前記吸入室（２６）側にそれぞれ置かれる向きにして前記回転軸（２３）の外周面と前記軸穴（２２）の内周面との間に装着されたポンプ装置。
【請求項６】
前記吸入室（２６）と前記大気室（２８）との間に、中間室（２７）と、この中間室（２７）と前記吸入室（２６）との間で前記軸穴（２２）の内周面と前記回転軸（２３）の外周面との間をシールする第２シール部（２９）が設けられ、前記第１シール部（３０）が、前記中間室（２７）と前記大気室（２８）との間に設けられた請求項５に記載のポンプ装置。
【発明の詳細な説明】
【技術分野】
【０００１】
この発明は、相対運動を生じる部材間の隙間、例えば、回転軸とそれを貫通させた部材との間の隙間をシールする軸シール構造とそれを用いたポンプ装置に関する。
【背景技術】
【０００２】
ブレーキ液圧制御装置に用いる動力駆動のポンプ装置として、例えば、下記特許文献１に記載されたものがある。また、往復運動するロッドやピストンなどの外周シールに用いるシール構造体が下記特許文献２に開示されている。
【０００３】
上記特許文献１のポンプ装置では、ポンプロータを回転させる駆動軸（回転軸）とそれを貫通させたハウジングとの間の隙間をシールする流体シール（オイルシール）として、リップ付きシールが逆姿勢にして用いられている。
【０００４】
ここで言う逆姿勢とは、軸方向に延びだすリップの基端を液室側に、そのリップの先端を前記液室から隔される大気開放部側に配置する姿勢である。この逆姿勢の配置は、正姿勢（逆姿勢とは反対向きの姿勢）での使用に比べると液室からの液体の洩れ防止が難しいが、液室の圧力が所定値を越えて高まったときにリリーフ機能が得られることから、あえてその逆姿勢で使用することがある。
【０００５】
上記特許文献１のブレーキ液圧制御装置に用いられているポンプ装置は、ハウジング内の吸入室（これはポンプの吸入口に通じている）に導入されるブレーキ液の外部への洩れを防止するために、前記吸入室と大気開放部との間に第１シール部と第２シール部を併設して２重シールを行っている。
【０００６】
第２シール部は、第２シール部にポンプ吸入口の圧力が直接加わらないように吸入室と中間室（液室）との間をシールする。中間室は第１シール部と第２シール部間に設けられている。その第２シール部からブレーキ液が洩れた場合、そのブレーキ液は中間室に溜まる。その中間室からの大気開放部へのブレーキ液の洩れを第１シール部によって規制するようにしている。
【０００７】
なお、吸入室は、ブレーキ液圧の制御状況に応じて変動し、正圧になったり、負圧なったり、大気圧になったりする。
【０００８】
特許文献２に開示されたシール構造体は、Ｕ形シール材の凹溝に弾性体を挿入し、その弾性体の力で、内周リップ部をロッドやピストンなどの往復運動する部材の外周に、外周リップ部を流体機器の内周にそれぞれ押し付けている。また、前記凹溝の開口端を閉鎖する環状蓋材を設け、その環状蓋材に形成された突出部を凹溝に差し込んで前記弾性体を凹溝の奥部側へ押圧している。
【先行技術文献】
【特許文献】
【０００９】
【特許文献１】特開２００７−２７８０８６号公報
【特許文献２】特開２００９−２９９７８７号公報
【発明の概要】
【発明が解決しようとする課題】
【００１０】
逆姿勢で使用されるリップ付きシールについては、洩れだそうとする液体の圧力が、リップに対してそのリップをシール相手から引き離す方向に作用するので、リップをリップと軸との締代による緊迫力と弾性体（ガータースプリングが一般的）の力で加圧してシール相手に押し付ける方法が通常採られている。
【００１１】
ところが、リップを弾性体で加圧したものは特に、リップの疲労によるクリープ変形（いわゆるへたり）が起こり易く、そのクリープ変形によりリップの先端（自由端）が径方向内側に変位し、それに伴う弾性体の縮径、それによる締付け力の低下によりリリーフ圧（開弁圧）の低下、それによる液洩れ防止機能の低下の問題が起こる。
【００１２】
また、液室の圧力が大気圧よりも高まるとその圧力を受けてリップの基端側が膨らむように変形し、これにより、弾性体が大気開放部側に押し動かされるため、クリープ変形が生じていなくてもリップ先端の径方向内側への変位、それに伴う弾性体の縮径が生じることがあり、これによるリリーフ圧の低下と液洩れ防止機能の低下の問題が起こる。
【００１３】
なお、上記特許文献２は、リップの先端側に凹溝の開口端を閉鎖する環状蓋材を設けているが、その環状蓋材には、内側に倒れようとする内周リップ部を受け止める機能がない。従って、この構造では、内周リップ部の径方向内側への変位（いわゆる倒れ）を阻止することができない。
【００１４】
この発明は、リップ付きシールを逆姿勢で使用してリリーフ機能をもたせるシール部で問題となっているリップ先端の径方向内側への変位を防止してそのシール部のリリーフ圧を安定させることを課題としている。リリーフ圧が安定すれば液洩れ防止機能も安定する。
【課題を解決するための手段】
【００１５】
上記の課題を解決するため、この発明においては、リップ付きシールを逆姿勢にして用いる軸シール部に以下の軸シール構造を適用する。
具体的には、軸穴の内周面に固定される環状固定部の径方向内端に、基端が前記環状固定部に連なり、その基端から自由端となる先端が軸方向に延び出すリップを設け、そのリップの外周に、当該リップを径方向内側に加圧して前記軸穴に通された軸の外周面に押し付ける弾性体を装着したリップ付きシールを用いて前記軸穴の内周面と前記軸の前記リップが摺接する外周面との間をシールする軸シール構造に以下の構成を加えた。すなわち、前記リップ付きシールの前記環状固定部を液室側に、前記リップの先端を大気開放部側にそれぞれ配置されたリップ付きシールのリップの先端を支えてリップ先端の径方向内側への変位を規制する姿勢保持部材を備えさせ、さらに、前記リップの先端面に、リップ先端が径方向内側に向けて変位するときに軸方向変位を伴う面を含ませ、その面を含む前記リップの先端面を前記姿勢保持部材に形成した第１当接部に当接させてリップ先端の径方向内側への変位を規制するようにした。
【００１６】
かかる軸シール構造の好ましい形態を以下に記す。
（１）前記リップの先端部を、前記姿勢保持部材の組み付けが完了した位置でその姿勢保持部材から離間させたもの。
（２）前記リップ付きシールに補強環を含ませ、その補強環を前記リップの先端よりもリップの延出方向に突出させ、前記リップの先端が前記姿勢保持部材から離間した位置で前記補強環に前記姿勢保持部材を当接させたもの。
（３）前記姿勢保持部材に、前記リップの先端側外周面が当接する第２当接部を具備させ、その第２当接部でリップ先端の径方向外側への変位を規制するようにしたもの。
【００１７】
この発明は、上記のシール構造とともに、下記のポンプ装置も併せて提供する。
そのポンプ装置は、軸穴を有するハウジングと、そのハウジングに内蔵された液体汲み上げ用のポンプと、前記軸穴に組み込まれて前記ポンプを駆動する回転軸と、前記軸穴と前記回転軸との間の隙間を閉じて前記ハウジング内のポンプ口に通じた吸入室を大気室から区画する第１シール部を有する。
また、前記第１シール部が上述したこの発明の軸シール構造を有し、前記リップ付きシールが、当該シールのリップ先端が前記大気室側に、環状固定部が前記吸入室側にそれぞれ置かれる向きにして前記回転軸の外周面と前記軸穴の内周面との間に装着されたものになっている。
【００１８】
かかるポンプ装置は、前記吸入室と大気室との間に、中間室と、この中間室と前記吸入室との間で前記軸穴の内周面と前記回転軸の外周面との間をシールする第２シール部が設けられ、リップ付きシールを用いて形成されるこの発明のシール構造を有する前記第１シール部が、前記中間室と前記大気室との間に配置された構造にすると、前掲の特許文献１が開示しているようなブレーキ装置に、動力駆動の液圧源として採用することができる。
【発明の効果】
【００１９】
この発明のシール構造は、リップ付きシールのリップ先端部に当接してリップの倒れ（径方向内側への変位）を規制する姿勢保持部材を設けたので、リップの疲労や液圧による倒れが抑制され、その倒れに起因した弾性体の変位、それに伴う弾性体の縮径が起こり難くなる。
【００２０】
また、リップの先端面に、リップ先端が径方向内側に向けて変位するときに軸方向変位を伴う面を含ませ、その面を含むリップの先端面を姿勢保持部材に形成した第１当接部に当接させてリップ先端の径方向内側への変位を規制しており、このことによって、リップの先端面が第１当接部に当接すると、それ以後はリップ先端の軸方向移動が許容されなくなる。そのために、リップの径方向内側への移動も阻止され、姿勢保持部材によるリップの倒れ防止が効果的になされる。これにより、弾性体による締付け力の変動が抑制されてリリーフ圧が安定し、液体の洩れ防止の信頼性も維持される。
【００２１】
なお、リップの先端を、姿勢保持部材の組み付けが完了した位置でその姿勢保持部材から離間させたものは、離間部の隙間によってリップの先端に径方向への動きの自由度が付与され、軸の外周面に対するリップの密着状態が維持され易くなる。
【００２２】
外周をシールする軸が回転軸であると、回転に伴う外周面の径方向への微小変位が不可避的に起こる。リップの先端に径方向への動きの自由度が有ればその微小変位に対してリップ先端が良好に追従し、これにより、軸の外周面に対するリップの密着状態が安定する。従って、このこともリリーフ圧の安定化と液洩れ防止の信頼性向上に役立つ。
【００２３】
また、リップ付きシールに補強環を含ませ、その補強環をリップの先端よりも大気開放部側に突出させ、リップの先端が前記姿勢保持部材から離間した位置で前記補強環に前記姿勢保持部材を当接させたものは、前記補強環の大気開放部側への突出量によって離間部の隙間の大きさを調整することができる。
【００２４】
姿勢保持部材の組み付けが完了した位置でリップの先端と姿勢保持部材との間に生じさせる離間部の隙間は、大きすぎるとリップの倒れ防止の効果が薄れ、小さすぎるとリップ先端の径方向動きの自由度が小さくなるためシビアな調整が必要になるが、そのシビアな調整を、補強環を利用して確実に行うことが可能である。
【００２５】
さらに、前記姿勢保持部材に、リップの先端側外周面が当接する第２当接部を具備させたものは、リップ先端の径方向外側への変位を第２当接部で規制することができる。液室に発生した液圧などがきっかけになってリップが姿勢保持部材に押し付けられると、姿勢保持部材がリップの倒れを規制するため、リップ先端は逃げ場が無くなって径方向外側に膨らもうとする。その膨らみ（外周面変位）を第２当接部で規制することで軸の外周に対するリップの押し付け圧の低下を抑えることができ、このこともリリーフ圧の安定化に有効に寄与する。
【図面の簡単な説明】
【００２６】
【図１】この発明の軸シール構造の一例を示す断面図
【図２】この発明の軸シール構造の他の例を示す断面図
【図３】この発明の軸シール構造のさらに他の例を示す断面図
【図４】図３の軸シール構造の姿勢保持部材に第２当接部を設けた例を示す断面図
【図５】姿勢保持部材をリップ付きシールに装着した例を示す断面図
【図６】姿勢保持部材をリップ付きシールに装着した状態の他の例を示す断面図
【図７】図５の軸シール構造の姿勢保持部材に第２当接部を設けた例を示す断面図
【図８】図５の軸シール構造の姿勢保持部材にダストリップを設けた例を示す断面図
【図９】図７の軸シール構造の姿勢保持部材にダストリップを設けた例を示す断面図
【図１０】この発明の軸シール構造を採用したポンプ装置の一例を示す断面図
【発明を実施するための形態】
【００２７】
以下、この発明の軸シール構造とそれを用いたポンプ装置の実施の形態を、添付図面の図１〜図１０に基づいて説明する。
【００２８】
図１は、軸シール構造の一例であって、部材１に設けられた軸穴２に軸３が通されている。軸３は回転軸と軸方向に往復運動する軸の２者が考えられる。ここでは、その軸３が回転軸であると考えて以下の説明を行なう。
【００２９】
保持部材１に設けられた軸穴２と軸穴２に通された軸３との間にリップ付きシール４が設置され、そのリップ付きシール４によって軸穴２の内周面と軸３の外周面との間がシールされる。
【００３０】
リップ付きシール４は、軸穴２の内周面に固定される環状固定部５と、この環状固定部５の一面側（大気開放部９に対面させる側の軸方向端面）の径方向内端に設けられたリップ６と、リップ６の外周に装着される弾性体７とで構成されている。このリップ付きシール４の環状固定部５は、弾性材料で形成された本体部５ａに、冷間圧延鋼などで形成される補強環５ｂ（これは必要に応じて設けられる）の一部を埋設してなる。
【００３１】
このリップ付きシール４のリップ６は、本体部５ａと同一材料を用いて本体部と一体に形成されている。このリップ６は、基端６ａが本体部５ａに連なり、その基端６ａから自由端となる先端が軸方向に延び出している。このリップ６の先端面６ｂは、組み付けの初期状態おいて実質的に軸直角をなす面にしている。
【００３２】
また、その先端面６ｂには、リップ６が倒れてリップ先端が径方向内側に向けて変位するときに軸方向変位を伴う面Ｅを含ませている。図１では、弾性体７の内径よりも径方向外側にある領域が、ここで言う軸方向変位を伴う面Ｅとなっている。
【００３３】
リップ６の先端面６ｂのうち、弾性体７の内径よりも径方向内側にある部分は、リップ６が径方向内側に向けて倒れると弾性体７がリップ先端側に変位するため、軸直角向きに押し下げられ、実質的な軸方向変位が生じない。
【００３４】
リップ６には、その内径側に、軸方向断面（シールの軸心を通る平面に沿って切断した断面）における形状が山形をなす摺接部が内向きに突出して設けられており、その摺接部の頂点６ｃが弾性体７による締付け力で軸３の外周面に押し付けられて軸３の外周とリップ付きシール４との間がシールされる。
【００３５】
環状固定部５の本体部５ａとリップ６は、一般的な流体シールと同様の弾性材料で形成されている。例えば、フッ素ゴム、アクリルゴム、ニトリルゴム、シリコーンゴム、ウレタンゴムなどの合成ゴムや、ＴＰＥ，ゴム−プラスチックやゴム−充填材の複合材料などである。
【００３６】
弾性体７は、ここでは、ガータースプリングを採用したが、そのガータースプリングに限定されない。リップ６を径方向内側に向けて締め付け得るものであればよく、リップ６と一体、或いは別体のゴムリングや、リング状のクリップばねなども利用できる。
【００３７】
その弾性体７は、中心Ｏをリップ６の摺接部の頂点６ｃよりもリップ６の先端側（図１において右方）に偏らせている。この配置も、リップ付きシールを逆姿勢で使用するときの液洩れ抑制に有効である。
【００３８】
このように構成されたリップ付きシール４が、環状固定部５を液室８側に、リップ６の先端を大気開放部９側にそれぞれ配置して軸穴２と軸３との間に組み付けられている。軸３は、軸受（図示せず）によって軸穴２と同軸上に回転可能に保持されている。
【００３９】
図１の１１は、この発明を特徴づける姿勢保持部材である。この姿勢保持部材１１は、部材１に固定される部品に一体に構成されたものであってもよいし、専用の部品として設けられていてもよい。
【００４０】
この姿勢保持部材１１に設けた第１当接部１１ａを、リップ付きシール４のリップの、面Ｅを含む先端面６ｂの全域に対向させてその先端面６ｂの動きをこの第１当接部１１ａで拘束するようにしている。第１当接部１１ａの端面は、図示の軸直角な面でなくてもよく、径方向内端側がリップ６に近付く方向に傾斜した面も考えられる。
【００４１】
リップの先端面６ｂは、第１当接部１１ａに接触した状態にして示したが、実際には、姿勢保持部材１１の組み付けが完了した初期状態では、第１当接部１１ａから離間させるのがよい。離間部の隙間は、軸３の回転に伴う外周面の微小変位（いわゆる振れ）に対して、リップ６の先端に追従の自由度が与えられるものであればよく、微小隙間でも差し支えない。
【００４２】
その離間の要求に応えたものが好ましいが、接触部にリップの先端の追従を阻害するほどの面圧が生じなければ、リップの先端面６ｂを第１当接部１１ａに接触させてもよい。
【００４３】
リップ先端の第１当接部１１ａからの離間量は、図２のような構造にすると調整がし易い。図２の軸シール構造は、リップ付きシール４に補強環５ｂを含ませ、その補強環５ｂをリップ６の先端よりもリップ延出方向に突出させ、リップ６の先端が第１当接部１１ａから離間した位置で補強環５ｂに姿勢保持部材１１を当接させるようにしている。また、姿勢保持部材１１を専用の部品にして軸穴２に圧入して取り付けるようにしている。姿勢保持部材１１には、液圧差や外力が作用しないので、圧入などによる固定力はさほど大きくなくてもよい。
【００４４】
このような構造にすると、姿勢保持部材１１を介してリップ付きシール４を軸穴２に押し込む方向でリップ付きシール４と姿勢保持部材１１を定位置に組み付けることができる。これに加え、組み付け完了位置で、リップ６の先端を第１当接部１１ａとの間に所定の隙間を生じさせて第１当接部１１ａから離間させることもできる。
【００４５】
図２の軸シール構造は、姿勢保持部材１１に、リップ６の先端側外周面が当接する第２当接部１１ｂをさらに備えさせている。その第２当接部１１ｂは、初期状態ではリップ６から離反する位置に設けられている。
【００４６】
既述の通り、液室に発生した液圧などがきっかけになってリップ６が姿勢保持部材１１に押し当てられたときにリップ先端は、姿勢保持部材１１による倒れ規制により逃げ場が無くなって径方向外側に膨らもうとする。その膨らみを第２当接部１１ｂで規制することができ、リップ６の先端の径方向外側への逃げに起因したリップ６によるシール圧の低下が起こらない。
【００４７】
図３の軸シール構造は、姿勢保持部材１１をフッ素系樹脂などで形成してその姿勢保持部材１１に軸３の外周に摺接するダストリップ１２を一体に形成したもので、外部からの塵埃の吸い込みをダストリップ１２によって阻止することができる。また、ダストリップ１２とリップ摺接部の頂点６ｃとの間の空間にグリスなどの潤滑剤を充填することで、リップ６の摩耗低減を図ることもできる。
【００４８】
なお、姿勢保持部材１１は、図４に示すように、第１当接部１１ａ、第２当接部１１ｂ、及びダストリップ１２を共に備えるものにしてもよい。
【００４９】
また、その姿勢保持部材１１は、図５に示すように、補強環５ｂの内側に圧入して取り付けてもよく、図６に示すように、補強環５ｂの先端外周に圧入して取り付けることもできる。図６の取り付けは、板材をプレス成形した安価な姿勢保持部材１１を使用することができる。
【００５０】
図７に示すように、補強環５ｂの内側に圧入固定する姿勢保持部材１１に上記第１当接部１１ａと第２当接部１１ｂを備えさせてもよく、また、図８に示すように、ダストリップ１２を備えさせたり、図９に示すように、第１当接部１１ａと第２当接部１１ｂとダストリップ１２を共に備えさせたりすることもできる。
【００５１】
次に、この発明の軸シール構造を用いて回転軸の外周をシールしたポンプ装置の一例を、図１０に基づいて説明する。図示のポンプ装置２０は、軸穴２２を有するハウジング２１と、そのハウジング２１の内部に設けられた液体汲み上げ用のポンプ２４と、軸穴２２に組み込まれるポンプ駆動用の回転軸２３と、その回転軸２３を駆動するモータ２５を有する。モータ２５は、出力軸を回転軸２３に連結してハウジング２１に固定されている。
【００５２】
また、軸穴２２と回転軸２３との間の隙間を封止してハウジング２１に設けられた吸入室２６を大気室２８から区画する第１シール部３０及び第２シール部２９と、両シール部２９，３０間に配置された中間室２７を有する。
【００５３】
ハウジング２１には、ポンプケース２１ａとプラグ２１ｂが含まれている。ポンプケース２１ａにポンプ２４を収納してポンプユニットを構成し、そのポンプユニットをハウジング２１に形成された収納室に挿入し、その収納室の入口をプラグ２１ｂで閉鎖している。
【００５４】
回転軸２３は、複数個所を軸受３１で支持して軸穴２２に組み込まれている。この回転軸２３に駆動されるポンプ２４は、周知の内接歯車式のものを設けている。
【００５５】
吸入室２６は、ポンプ２４の吸入口に連通している。この吸入室２６と中間室２７間に設置した第２シール部２９は、周知のシール部であり、摩擦係数の小さなフッ素系樹脂などで形成された摺動シール材とゴムシールを組み合わせたシール部材２９ａを、回転軸２３とプラグ２１ｂに形成された軸穴２２との間に配置して構成されている。この第２シール部２９は、吸入室２６から中間室２７への液体の漏れを封止する。
【００５６】
第２シール部２９から液体が漏れた場合、漏れた液体は中間室２７に溜る。その中間室２７に漏れた液体の中間室２７からの漏れを、第１シール部３０で阻止するようにしている。
【００５７】
第１シール部３０は、既述のこの発明の軸シール構造を有するシール部とし、回転軸２３の外周と軸穴２２の内周面との間に、リップ６の先端が大気室２８側に、環状固定部５が吸入室２６側にそれぞれあるように配置して構成されている。
【００５８】
前記特許文献２が開示しているポンプ装置は、ＡＢＳ（アンチロック制御）やＥＳＣ（車両安定化制御）など、電子制御による制動力制御機能を備えた車両用ブレーキ液圧制御装置に利用されており、その用途では、マスタシリンダで発生させた液圧が吸入室２６に流れることがある。
【００５９】
また、そのときに流入した液圧で第２シール部２９のシール部材２９ａが中間室２７側に動いて中間室２７の圧力が必要以上に高まることがある。そのような状況に対してこの発明のシール構造が有効性を発揮し、リリーフ機能を得ながら中間室２７からのブレーキ液の漏れを減少させることができる。
【００６０】
なお、以上の説明は、内接歯車を用いたポンプ装置を例に挙げて行ったが、この発明を適用するポ
ンプ装置は、回転軸で駆動されるものであればよい。ベーンポンプや外接歯車式ポンプなども適用対象となる。
【符号の説明】
【００６１】
１          部材
２          軸穴
３          軸
４          リップ付きシール
５          環状固定部
５ａ        本体部
５ｂ        補強環
６          リップ
６ａ        基端
６ｂ        先端面
６ｃ        摺接部の頂点
７          弾性体
８          液室
９          大気開放部
１１        姿勢保持部材
１１ａ      第１当接部
１１ｂ      第２当接部
１２        ダストリップ
２０        ポンプ装置
２１        ハウジング
２１ａ      ポンプケース
２１ｂ      プラグ
２２        軸穴
２３        回転軸
２４        ポンプ
２５        モータ
２６        吸入室
２７        中間室
２８        大気室
２９        第２シール部
２９ａ      シール部材
３０        第１シール部
３１        軸受
Ｅ          リップ先端の軸方向変位を伴う面
Ｏ          弾性体の中心
【図１】
2012172715.tif 000003
【図２】
2012172715.tif 000004
【図３】
2012172715.tif 000005
【図４】
2012172715.tif 000006
【図５】
2012172715.tif 000007
【図６】
2012172715.tif 000008
【図７】
2012172715.tif 000009
【図８】
2012172715.tif 000010
【図９】
2012172715.tif 000011
【図１０】
2012172715.tif 000012